(57)【特許請求の範囲】
【請求項１】
ボール紙の貼付された表紙を載置する回転テーブルと、上記回転テーブルに載置された表紙を固定する固定板と、二つの折り曲げユニットと、上記各部を制御する制御手段とを備え、
操作指令が入力されると、上記制御手段が、上記回転テーブルの上に置かれたボール紙の貼付された表紙を上記固定板により固定した後、上記回転テーブルと上記固定板を９０度回転させ、上記二つの折り曲げユニットを移動させて天地の二辺を同時に折り曲げ、次に、上記二つの折り曲げユニットを所定位置に戻した後、上記回転テーブルと上記固定板を９０度逆回転させ、二つの折り曲げユニットを移動させて小口の二辺を同時に折り曲げることを特徴とする表紙折り曲げ装置。
【請求項２】
ボール紙の貼付された表紙を載置する回転テーブルと、上記回転テーブルに載置された表紙を固定する固定板と、二つの折り曲げユニットと、上記各部を制御する制御手段とを備え、
操作指令が入力されると、上記制御手段が、上記回転テーブルの上に置かれたボール紙の貼付された表紙を上記固定板により固定した後、上記回転テーブルと上記固定板を４５度回転させ、上記二つの折り曲げユニットを移動させて二つの角を同時に折り曲げ、次に、上記二つの折り曲げユニットを所定位置に戻した後、上記回転テーブルと上記固定板を９０度回転させ、上記二つの折り曲げユニットを移動させて他の二つの角を同時に折り曲げ、次に、上記二つの折り曲げユニットを所定位置に戻した後、上記回転テーブルと上記固定板を４５度逆回転させ、上記二つの折り曲げユニットを移動させて天地の二辺を同時に折り曲げ、次に、上記二つの折り曲げユニットを所定位置に戻した後、上記回転テーブルと上記固定板を９０度逆回転させ、上記二つの折り曲げユニットを移動させて小口の二辺を同時に折り曲げることを特徴とする表紙折り曲げ装置。
【請求項３】
請求項１または請求項２に記載された表紙折り曲げ装置において、
上記折り曲げユニットが、ガイドローラ、ガイド台及び折り曲げバーよりなることを特徴とする表紙折り曲げ装置。
【発明の詳細な説明】
【技術分野】
【０００１】
本発明は、ボール紙を貼り合わせた表紙を折り曲げる表紙折り曲げ装置に関する。
【背景技術】
【０００２】
製本の一形態として、上製本が知られている。この上製本は、冊子の背面に糸がかりの処理をしてから無線綴じを行い、厚地の表紙を貼着して堅牢な仕上げとするもので、ハ−ドカバ−の書籍が製本される。また、糸がかりの処理を省略した簡易上製本も行われている。
【０００３】
図１８は、簡易上製本を行う例を示す分解斜視図である。図１８において、５０は背面を無線綴じした冊子、５１は背ボ−ル紙（背厚板紙）、５２は簡易上製本用表紙で表側５２ａにはタイトルや図柄等が記入されており、裏側５２ｂには出版社名等が記入されている。５３は裏側表紙ボ−ル紙（表紙厚板紙）、５４は表側表紙ボ−ル紙（表紙厚板紙）である。背ボ−ル紙５１、裏側および表側表紙ボ−ル紙５３、５４は、冊子５０の各用紙よりも厚地の厚板紙を使用する。
【０００４】
簡易上製本用表紙５２には、背ボ−ル紙５１の幅よりもやや広い幅で折り目５２ｕ、５２ｖを入れる。簡易上製本用表紙５２を広げた状態で、背ボ−ル紙５１を簡易上製本用表紙５２の折り目５２ｕ、５２ｖ間に形成される中央部分５２ｃに貼着する。
【０００５】
また、矢視ｘ、ｙで示すように、裏側表紙ボ−ル紙５３、表側表紙ボ−ル紙５４をそれぞれ簡易上製本用表紙５２の裏側５２ｂ、表側５２ａに貼着する。そして、冊子５０の表側見返し用紙５０ａを表側表紙ボ−ル紙５４の内側に貼着し、裏側見返し用紙５０ｂを裏側表紙ボ−ル紙５３の内側に貼着することにより製本を行う。
【発明の開示】
【発明が解決しようとする課題】
【０００６】
上記のような上製本の表紙を作成する場合、表紙とボール紙とを貼り付けた後、ボール紙が貼り付けられた表紙の四辺を折り曲げてハードカバーを作成する必要があるが、従来は、１つの折り曲げユニットによって一辺毎に折り曲げていたため、表紙の四辺を折り曲げるのに時間がかかるという問題があった。
【０００７】
また、上製本のハードカバーを作成する場合、ボール紙の貼付された表紙の天地と小口に加えて四つの角を折り曲げてハードカバーとすることもあり、この場合には、表紙の四辺と四つの角を一つずつ折り曲げなければならず、さらに時間がかかるという問題があった。
【０００８】
本発明は、このような問題に鑑みてなされたものであり、ボール紙が貼り付けられた表紙の四辺の折り曲げ時間を短縮することができる表紙折り曲げ装置を提供することを目的とする。
【課題を解決するための手段】
【０００９】
本発明の表紙折り曲げ装置は、ボール紙の貼付された表紙を載置する回転テーブルと、上記回転テーブルに載置された表紙を固定する固定板と、二つの折り曲げユニットと、上記各部を制御する制御手段とを備え、上記制御手段が、上記回転テーブル及び上記固定板の回転駆動と、上記二つの折り曲げユニットの移動駆動により、ボール紙の貼付された表紙の二辺を同時に折り曲げることを特徴とする。
【発明の効果】
【００１０】
本発明の表紙折り曲げ装置によれば、二つの折り曲げユニットを備えているので、二辺を同時に折り曲げることができ、ボール紙が貼り付けられた表紙の四辺を短時間で折り曲げることができる。また、ボール紙の貼付された表紙の天地と小口に加えて四つの角を折り曲げてハードカバーとする場合には、回転テーブルを４５度回転させることにより二つの角を同時に折り曲げることができるので、ボール紙の貼付された表紙の天地と小口及び四つの角の折り曲げ時間を短縮することができる。
【実施例】
【００１１】
以下、本発明に係る表紙折り曲げ装置の実施例について図により説明する。
図１は、本発明に係る表紙折り曲げ装置を備えた製本機の外観を示す図であり、１は表紙とボール紙を貼り付ける表紙貼付け部、２はボール紙が貼り付けられた表紙を折り返す折り返し部、３は折り返された表紙と冊子を接着するニップ部、４は操作パネル、５はバーコードリーダー、６は照準ランプである。また、１ａ、２ａ、３ａはそれぞれ表紙貼付け部１、折り返し部２、ニップ部３のスタートボタンである。
【００１２】
操作パネル４は液晶タッチパネルよりなり、製本機の操作を行うためのものであり、バーコードリーダー５は表紙と冊子の組み合わせに間違いがないかを確認するためにそれぞれに印刷されたバーコードを読み取るものである。また、照準ランプ６は表紙貼付け部１に載置される表紙の中心位置を指示するためのランプである。
【００１３】
図２は表紙貼付け部１の詳細を示す図であり、１１は表紙とボール紙を貼り付けるための貼付テーブル、１２はセットされるボール紙の下端を規制する規制板である。１３〜２４はボール紙をセットするためのガイドであり、貼付テーブル１１の表面からボール紙の厚さより若干短い長さだけ突き出ている。ガイド１３〜１６は表側表紙ボ−ル紙を置くためのガイド、ガイド１７〜２０は裏側表紙ボ−ル紙を置くためのガイド、ガイド２１〜２４は背ボ−ル紙を置くためのガイドであり、冊子サイズに応じて位置を変更するため、孔内を移動可能となっている。また、２５は表紙とボール紙とを貼り付けるための貼付ローラである。
【００１４】
また、図３は本発明の表紙折り曲げ装置を適用した折り返し部２の詳細を示す図である。図３において、３１は回転可能なテーブル、３２はボール紙が貼付された表紙を押さえるための、上下に移動可能な固定板、３３、３４はボール紙が貼付された表紙をガイドするためのガイドローラ、３５、３６はガイド台、３７、３８は表紙の端部を折り曲げるための折り曲げバーである。ガイドローラ３３、３４、ガイド台３５、３６は左右に移動可能となっており、折り曲げバー３７、３８はガイド台３５、３６に対して上下に移動可能となっている。これらのガイドローラ３３、３４、ガイド台３５、３６及び折り曲げバー３７、３８により折り曲げユニットが構成される。
【００１５】
一方、図４は製本機の構成を示すブロック図であり、制御部７は、表紙貼付け部１の貼付ローラやガイドを駆動する駆動機構１ｂ、折り返し部２のガイドローラ等を駆動する駆動機構２ｂ、ニップ部３の各部を駆動する駆動機構３ｂを制御するとともに、操作パネル４に操作・設定画面の情報を出力する。また、この制御部７は、バーコードリーダー５からの出力を受け取るとともに、表紙とボール紙の貼り付け時に照準ランプ６を点灯させる。
【００１６】
次に、この製本機で無線綴じした冊子に表紙を接着して製本する場合の作用について説明する。なお、この製本機では、裏面に接着剤層が形成され、この接着剤層に剥離紙が貼付されているタック紙（シール）を表紙として使用する。この表紙は、図５に示すように、裏側の剥離紙の中央部にスリット（切れ目）４０が入っているので、中央から剥離紙を容易に剥離することができる。
【００１７】
図６は操作パネル４に表示される製本のサイズ設定画面の一例であり、ユーザはこの画面で冊子の長さ（ａ）、幅（ｂ）、厚さ（ｃ）をｍｍ単位で入力できるとともに、コーナーの面取り幅（ｄ）及び表紙の剥離紙のスリット位置の下端からの距離（ｅ）もｍｍ単位で入力することができる。また、この設定画面で表紙の折り曲げ形状、すなわち、天地と小口のみまたは天地と小口と４つの角、の選択、表紙と冊子に付されたバーコードの読み取りのＯＮ／ＯＦＦ設定、オプションで付加することができる表紙自動給紙装置のＯＮ／ＯＦＦ設定、剥離紙のスリット位置の設定も各ボタンを押すことにより設定することができる。
なお、剥離紙のスリット位置を任意に設定した場合、上記のスリット位置の下端からの距離を入力することができる。
【００１８】
図６の設定画面で冊子の寸法を入力した後、「ＯＫ」ボタンを押すと、制御部７は必要なボール紙及び表紙の寸法を演算し、図７に示す、ボール紙及び表紙の寸法を表示する表紙確認画面を表示する。図に示すように、この表紙確認画面には、表・裏側表紙ボ−ル紙、背ボ−ル紙の長さ、幅及び表紙の長さ、幅や剥離紙のスリット位置の下端からの距離が表示されるので、ユーザは指定された寸法の表・裏側表紙ボ−ル紙、背ボ−ル紙及び表紙を用意する。そして、この表紙確認画面でユーザが「セット替えスタート」ボタンを押すことにより、制御部７は、表紙貼付け部１の駆動機構１ｂを制御し、ガイド１３〜２４の位置を演算された位置に自動的にセットするとともに、照準ランプ６を点灯させる。
【００１９】
この状態でユーザは、図８、図９（ａ）に示すように、表側表紙ボ−ル紙４１、裏側表紙ボ−ル紙４２、背ボ−ル紙４３をセットした後、図９（ｂ）に示すように、表紙４４の表を上側にし、その中心位置が照準ランプ６の示す位置と合致するようにセットする。この後、ユーザが表紙貼付け部１のスタートボタン１ａを押すと、制御部７が、表紙貼付け部１の貼付ローラ２５を下降させて、剥離紙のスリット位置の上方で停止して表紙４４を押さえる。これにより、図９（ｃ）、図１０（ｂ）に示すように、ユーザは表紙４４の裏側の手前側剥離紙４４ａを容易に剥がすことができる。なお、図１０では、理解を容易にするため剥離紙の厚みを強調しているが、実際には剥離紙は表紙の厚さよりも薄いものを使用している。
【００２０】
そして、手前側剥離紙４４ａを剥がした後、ユーザがスタートボタン１ａを押すと、制御部７は、貼付ローラ２５を再び下降させ、剥離紙のスリット位置の下方で停止させて表紙４４を押さえる。これにより、図９（ｄ）、図１０（ｃ）に示すように、ユーザは表紙４４の裏側の奥側剥離紙４４ｂを容易に剥がすことができる。剥離紙を剥がした後、ユーザが再度スタートボタン１ａを押すと、制御部７は、貼付ローラ２５を下降させて、図９（ｅ）、図１０（ｄ）に示すように、貼付ローラ２５により表紙４４の手前側をボール紙４１〜４３に貼り付けた後、貼付ローラ２５を上昇させ、図９（ｆ）、図１０（ｅ）に示すように、貼付ローラ２５により表紙４４の奥側をボール紙４１〜４３に貼り付ける。
これにより、表紙に表側表紙ボ−ル紙、裏側表紙ボ−ル紙、背ボ−ル紙を貼り付けることができる。
【００２１】
次に、上記のようにしてボール紙を貼り付けた表紙の天地と小口を折り返し部２により折り曲げる場合の作用について説明する。
ユーザが折り返し部２のテーブル３１の回転中心に表紙の中心を合わせてセットした後、折り返し部２のスタートボタン２ａを押すと、制御部７が折り返し部２の駆動機構２ｂを制御し、図１１（ａ）に示すように、固定板３２を下降させて表紙を固定する。次に、制御部７は、テーブル３１及び固定板３２を９０度回転させた後、ガイドローラ３３、ガイド台３５、折り曲げバー３７を右側に、ガイドローラ３４、ガイド台３６、折り曲げバー３８を左側に所定距離だけ移動させる。これにより、図１１（ｂ）、図１２（ａ）、図１３に示すように、ガイドローラ３３、３４にガイドされてボール紙が貼られていない表紙の部位が折り曲げバー３７、３８の下端に位置させられる。
【００２２】
この状態で、制御部７が折り曲げバー３７、３８を下降させるので、図１２（ｂ）に示すように、表紙の天地の２辺が直角に曲げられた後、制御部７がガイドローラ３３、３４、ガイド台３５、３６、折り曲げバー３７、３８を内側に移動させるので、図１２（ｃ）に示すように、表紙の天地の２辺が折り曲げられて接着される。次に、制御部７はガイドローラ３３、３４、ガイド台３５、３６、折り曲げバー３７、３８を元の所定位置に移動させた後、テーブル３１及び固定板３２を９０度回転させる。そして、上記と同様に、ガイドローラ３３、ガイド台３５、折り曲げバー３７を右側に、ガイドローラ３４、ガイド台３６、折り曲げバー３８を左側に所定距離だけ移動させることにより、図１１（ｃ）、図１４に示す状態とし、同様にして表紙の小口の２辺を折り曲げて接着する。
これにより、ボール紙を貼り付けた表紙の天地と小口を折り返して接着し、ハードカバーを作成することができる。
【００２３】
また、表紙の天地と小口と４つの角を折り曲げる場合には、テーブル３１の回転中心にボール紙が貼付された表紙の中心を合わせてセットした後、スタートボタン２ａを押すと、制御部７が、図１５（ａ）に示すように、固定板３２を下降させて表紙を固定する。次に、制御部７は、テーブル３１及び固定板３２を４５度回転させた後、ガイドローラ３３、３４、ガイド台３５、３６、折り曲げバー３７、３８を移動させ、図１５（ｂ）、図１６に示す状態にし、同様にして表紙の２つの角を折り曲げて接着する。次に、制御部７は、ガイドローラ３３、３４、ガイド台３５、３６、折り曲げバー３７、３８を元の所定位置に移動させ、テーブル３１及び固定板３２を９０度回転させた後、ガイドローラ３３、３４、ガイド台３５、３６、折り曲げバー３７、３８を移動させ、図１５（ｃ）に示す状態にし、同様にして表紙の２つの角を折り曲げて接着する。
【００２４】
さらに、制御部７は、ガイドローラ３３、３４、ガイド台３５、３６、折り曲げバー３７、３８を元の所定位置に移動させ、テーブル３１及び固定板３２を４５度逆回転させた後、ガイドローラ３３、３４、ガイド台３５、３６、折り曲げバー３７、３８を移動させ、図１５（ｄ）に示す状態にし、同様にして表紙の天地を折り曲げて接着する。次に、制御部７はガイドローラ３３、３４、ガイド台３５、３６、折り曲げバー３７、３８を元の所定位置に移動させ、テーブル３１及び固定板３２を９０度逆回転させた後、ガイドローラ３３、３４、ガイド台３５、３６、折り曲げバー３７、３８を移動させ、図１５（ｅ）に示す状態にし、同様にして表紙の小口を折り曲げて接着する。
これにより、ボール紙が貼付された表紙の天地と小口と４つの角を折り返して接着し、ハードカバーを作成することができる。
【００２５】
上記のようにしてハードカバーを作成した後、ハードカバー４５と、バーコードリーダー５により表紙との一致を確認した無線綴じした冊子４６とを組み合わせ、これを背側が下になるようにしてニップ部３にセットした後、ニップ部３のスタートボタン３ａを押すことにより、ヒータ内蔵のプレス（図示せず）で冊子４６の背側に形成された熱可塑性の接着剤によりハードカバー４５と冊子４６の背側が接着される。この後、図１７に示すように、冊子４６の見返しの剥離紙４６ａを剥がしてハードカバー４５と合わせることにより、冊子の見返しに形成された接着剤によりハードカバー４５と冊子の４６の見返しが接着されて上製本が作成される。
【００２６】
なお、上記の実施例では、本発明の表紙折り曲げ装置を製本機に組み込んだ実施例について説明したが、表紙折り曲げ装置単独でも実施することが可能である。
【図面の簡単な説明】
【００２７】
【図１】本発明に係る表紙折り曲げ装置を備えた製本機の外観を示す図である。
【図２】表紙貼付け部の詳細を示す図である。
【図３】本発明に係る表紙折り曲げ装置を適用した折り返し部の詳細を示す図である。
【図４】製本機の構成を示すブロック図である。
【図５】剥離紙のスリットを示す図である。
【図６】操作パネルに表示される製本のサイズ設定画面の一例である。
【図７】ボール紙及び表紙の寸法を表示する表紙確認画面の一例である。
【図８】貼付テーブルにボール紙をセットした状態を示す図である。
【図９】表紙とボール紙を貼り合わせる手順を説明するための図である。
【図１０】表紙とボール紙を貼り合わせるときの状態を示す図である。
【図１１】表紙の天地と小口を折り返す手順を説明するための図である。
【図１２】表紙の折り返し時の折り曲げユニットの作用を示す図である。
【図１３】表紙の天地を折り返すときの状態を示す図である。
【図１４】表紙の小口を折り返すときの状態を示す図である。
【図１５】表紙の天地と小口及び４つの角を折り返す手順を説明するための図である。
【図１６】表紙の角を折り返すときの状態を示す図である。
【図１７】ハードカバーと無線閉じした冊子を合わせた状態を示す図である。
【図１８】簡易上製本を行う例を示す分解斜視図である。
【符号の説明】
【００２８】
１  表紙貼付け部
２  折り返し部
３  ニップ部
４  操作パネル
５  バーコードリーダー
６  照準ランプ
１ａ、２ａ、３ａ  スタートボタン
３１  テーブル
３２  固定板
３３、３４  ガイドローラ
３５、３６  ガイド台
３７、３８  折り曲げバー
【図１】
0005208574.tif 000002
【図２】
0005208574.tif 000003
【図３】
0005208574.tif 000004
【図４】
0005208574.tif 000005
【図５】
0005208574.tif 000006
【図６】
0005208574.tif 000007
【図７】
0005208574.tif 000008
【図８】
0005208574.tif 000009
【図９】
0005208574.tif 000010
【図１０】
0005208574.tif 000011
【図１１】
0005208574.tif 000012
【図１２】
0005208574.tif 000013
【図１３】
0005208574.tif 000014
【図１４】
0005208574.tif 000015
【図１５】
0005208574.tif 000016
【図１６】
0005208574.tif 000017
【図１７】
0005208574.tif 000018
【図１８】
0005208574.tif 000019